(57)【特許請求の範囲】
【請求項１】
互いに周縁で連結されてなる第１ケース（１Ａ）と第２ケース（１Ｂ）からなるケーシング（１）と、このケーシング（１）から表出する接点（３）を固定している接点ホルダー（４）とを備え、第１ケース（１Ａ）と第２ケース（１Ｂ）と接点ホルダー（４）が以下の全ての構成を有するパック電池。
（ａ）  接点ホルダー（４）は絶縁材の成形品で、金属製の接点（３）を固定している。
（ｂ）  接点ホルダー（４）は、第１ケース（１Ａ）に設けている支持リブ（５）に連結される下面と、第２ケース（１Ｂ）の天板（２Ａ）に対向している上面と、接点３をケーシング（１）の表面に表出させている前面と、この前面の反対側に位置する背面とを有し、下面には支持リブ（５）を挟むように両面に挟着足（７）を突出させている。
（ｃ）  第１ケース（１Ａ）は、接点ホルダー（４）の背面に突出して接点ホルダー（４）が抜けるのを阻止する係止爪（６）を有する。
（ｄ）  第２ケース（１Ｂ）は、接点ホルダー（４）を収納する収納凸部（２）を有し、この収納凸部（２）には接点（３）を外部に表出する接点窓（１２）を開口している。
（ｅ）  接点ホルダー（４）は、下面を支持リブ（５）に連結し、背面に係止爪（６）を連結して第１ケース（１Ａ）に連結され、さらに、第１ケース（１Ａ）に連結される第２ケース（１Ｂ）の収納凸部（２）の天板（２Ａ）で抜けないように保持されている。
【請求項２】
第１ケース（１Ａ）が、接点ホルダー（４）の横ずれを阻止するストッパリブ（５ａ）を支持リブ（５）に連結して設けており、このストッパリブ（５ａ）に挟着足（７）を係止して、横ずれを阻止している請求項１に記載されるパック電池。
【請求項３】
接点（３）が、金属板を円筒状に成形してなる筒型接点である請求項１に記載されるパック電池。
【請求項４】
係止爪（６）が接点ホルダー（４）の背面に向かって突出する係止凸部（６ａ）を先端に有し、この係止凸部（６ａ）にスリット（８）を設け、接点ホルダー（４）にはスリット（８）に案内される凸条（９）を設け、凸条（９）をスリット（８）に案内して、接点ホルダー（４）の横ずれを阻止している請求項１に記載されるパック電池。
【請求項５】
係止爪が接点ホルダーの背面に向かって突出する係止凸部を先端に有し、この係止凸部に凸条を設け、接点ホルダーには凸条を案内する溝を設け、凸条を溝に案内して、接点ホルダーの横ずれを阻止している請求項１に記載されるパック電池。
【請求項６】
接点ホルダー（４）に固定している接点（３）に連結している接点リード（１０）を挟着足（７）に併用している請求項１に記載されるパック電池。
【請求項７】
支持リブ（５）を第１ケース（１Ａ）の外周から内側に離して配設して、支持リブ（５）と第１ケース（１Ａ）外周縁との間に、接点（３）に接続しているリード線（１９）の配線スペース（７）を設け、さらにこの配設スペース（７）にはリード線（１９）を挟着して保持する保持スリット（１３）を設けている請求項１に記載されるパック電池。
【発明の詳細な説明】
【０００１】
【発明の属する技術分野】
本発明はケーシングに二次電池を内蔵しているパック電池に関する。
【０００２】
【従来の技術】
パック電池は、外部に電力を供給するために接点を設けている。接点は装着される電気機器のコネクター端子に接続される。パック電池の一般的な接点構造は、接点となる金属板をプラスチック製のホルダーに固定し、このホルダーを介してプリント基板に半田付して固定する構造である。この取り付け構造は、プリント基板をケーシングの定位置に固定すると、接点も定位置に配設できる。しかしながら、この取り付け構造は、接点をプリント基板に連結している部分が損傷しやすい欠点がある。それは、パック電池を電気機器に装着すると、接点が電気機器のコネクター端子に押され、この押圧力がプリント基板との連結部分に作用するからである。プリント基板は金属の薄膜をエポキシ基板等に接着したものであるから、接点を半田付して連結している薄膜に力が作用すると、薄膜が剥離しやすく、また、剥離した薄膜は切れやすくなる。このため、この接点構造は、パック電池を頻繁に電気機器に脱着すると、接点とプリント基板との連結部で損傷しやすい。さらに、大電流用の接点は、電気機器のコネクター端子との接触面積が大きく、また、押圧力も強くなるので、プリント基板との連結部分が損傷されやすくなる。
【０００３】
【発明が解決しようとする課題】
この欠点は、接点をプリント基板に直接に固定するのではなく、リード線を介してプリント基板に連結する構造で解消できる。この接点構造は、接点に作用する押圧力がプリント基板との連結部に働くことがない。リード線で接点とプリント基板を離しているからである。しかしながら、この取り付け構造は、接点をケースの定位置に固定するための構造が複雑になり、しかも組み立てに手間がかかる欠点がある。
【０００４】
本発明は、さらにこの欠点を解決することを目的に開発されたもので、本発明の重要な目的は、組み立てを簡単にして、しかも接点をケーシングの定位置に固定でき、さらに、頻繁に脱着しても接点の連結部が損傷されることがないパック電池を提供することにある。
【０００５】
【課題を解決するための手段】
本発明のパック電池は、第１ケース１Ａと第２ケース１Ｂからなるケーシング１と、このケーシング１の外部に表出するように接点３を固定している接点ホルダー４を備える。第１ケース１Ａ及び第２ケース１Ｂと、接点ホルダー４は以下の独特の構成を備えている。
（ａ）  接点ホルダー４は、プラスチック等の絶縁材を成形したもので、金属製の接点３を固定している。
（ｂ）  接点ホルダー４は、第１ケース１Ａに設けている支持リブ５に連結される下面と、第２ケース１Ｂの天板２Ａに対向している上面と、接点３をケーシング１の表面に表出させている前面と、この前面の反対側に位置する背面とを有し、ケーシング１の定位置に配設するために、下面には支持リブ５の両面に挟着足７を突出させている。
（ｃ）  第１ケース１Ａは、接点ホルダー４の背面に突出して、接点ホルダー４が抜けるのを阻止するための係止爪６を有する。
（ｄ）  第２ケース１Ｂは、接点ホルダー４を収納する収納凸部２を有し、この収納凸部２には、接点３を外部に表出するための接点窓１２を開口している。
（ｅ）  接点ホルダー４は、下面を支持リブ５に連結して、背面を係止爪６に連結して第１ケース１Ａに連結され、さらに、第２ケース１Ｂの収納凸部２の天板２Ａで抜けないように保持されている。
【０００６】
本発明のパック電池は、好ましくは、接点ホルダー４の横ずれを阻止するストッパリブ５ａを第１ケース１Ａの支持リブ５に設ける。ストッパリブ５ａに挟着足７を係止して、接点ホルダー４の横ずれを阻止する。接点３は、たとえば、金属板を円筒状に成形している筒型接点である。この接点３は内部に電気機器のコネクター端子を挿入して、大電流を低抵抗な接触抵抗で接続できる。
【０００７】
さらに、本発明のパック電池は、係止爪６の先端に、接点ホルダー４の背面に向かって突出する係止凸部６ａを設ける。係止凸部６ａにはスリット８を設け、接点ホルダー４にはスリット８に案内される凸条９を設け、凸条９をスリット８に案内して、接点ホルダー４の横ずれを阻止することができる。また、係止爪の係止凸部には、スリットに代わって凸条を設け、この凸条を案内する溝を接点ホルダーに設け、凸条を溝に案内して、接点ホルダーの横ずれを阻止することもできる。
【０００８】
さらに、本発明のパック電池は、接点ホルダー４に固定している接点３に連結してる接点リード１０を挟着足７に併用することができる。また、支持リブ５を第１ケース１Ａの外周から内側に離して配設して、支持リブ５と第１ケース１Ａ外周縁との間に、接点３に接続しているリード線１９の配線スペース１１を設け、さらに、この配設スペースにはリード線１９を挟着して保持する保持スリット１３を設けることもできる。この構造は、接点３をリード線１９を介してプリント基板１５に連結するのに好都合である。リード線１９を決められた位置に保持できるからである。ただ、本発明のパック電池は、接点３を接点ホルダー４とケーシング１とで決められた位置に保持できるので、接点とプリント基板とをリード線で連結することなく、接点を直接にプリント基板に固定して、接点とプリント基板との連結部の損傷を少なくすることもできる。
【０００９】
【発明の実施の形態】
以下、本発明の実施例を図面に基づいて説明する。ただし、以下に示す実施例は、本発明の技術思想を具体化するためのパック電池を例示するものであって、本発明はパック電池を以下のものに特定しない。
【００１０】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１１】
図１に示すパック電池は、図において下側の第１ケース１Ａと、上側の第２ケース１Ｂを連結しているケーシング１の内部に、二次電池（図示せず）を内蔵しており、第２ケース１Ｂから上面に突出する収納凸部２に接点を内蔵させている。図２は、図１に示すパック電池の第２ケース１Ｂを外した第１ケース１Ａを示す斜視図で、図３は接点ホルダー４を連結する要部の拡大斜視図である。さらに、図４は、第１ケース１Ａに接点ホルダー４を連結した状態を示す斜視図、図５は接点ホルダー４連結部の平面図、図６は接点ホルダー４の連結部の断面図である。
【００１２】
これ等の図に示すパック電池は、第１ケース１Ａと第２ケース１Ｂからなるケーシング１と、接点３を固定している接点ホルダー４とを備え、第１ケース１Ａに複数の二次電池１４とプリント基板１５とを収納している。
【００１３】
第１ケース１Ａと第２ケース１Ｂは外形が方形状となるようにプラスチックを成形したもので、第１ケース１Ａは、二次電池１４とプリント基板１５を定位置に配設するための隔壁リブ１６と、第２ケース１Ｂを連結して二次電池１４を収納する周壁１７と、接点ホルダー４を連結する支持リブ５と、接点ホルダー４を引っかける係止爪６を一体成形して設けている。さらに、図の第１ケース１Ａは、第２ケース１Ｂをネジ止するための貫通孔１８を開口している。第２ケース１Ｂは、図１においては裏面となって図示されないが、貫通孔１８の対向位置に連結支柱を一体成形して設けている。止ネジを貫通孔１８から連結支持にねじ込んで、第１ケース１Ａと第２ケース１Ｂが連結される。
【００１４】
隔壁リブ１６は、底面に対して垂直で、図の隔壁リブ１６は複数の二次電池１４を定位置に保持する。二次電池１４を保持する隔壁リブ１６は、二次電池１４の外周に沿って固定され、プリント基板１５を定位置に配設する隔壁リブ１６は、プリント基板１５の周囲に固定される。
【００１５】
支持リブ５は、第１ケース１Ａの周壁１７から内側に離されて、周壁１７と平行に設けられる。この支持リブ５は、支持リブ５と周壁１７との間に、接点３に連結しているリード線１９を配線するための配線スペース１１を設けることができる。支持リブ５は、第１ケース１Ａの底面に垂直に固定されている。さらに、支持リブ５は、両側を図５の平面図においてＬ字状に折曲する形状に成形してストッパリブ５ａを設けている。ストッパリブ５ａは、接点ホルダー４の下面に設けている挟着足７が当接されて、接点ホルダー４が支持リブ５に沿って横にずれるのを阻止する。ストッパリブ５ａは、プリント基板１５を定位置に配設する隔壁リブ１６に連結されている。
【００１６】
係止爪６は一対の支持リブ５の間に位置し、かつ、第１ケース１Ａの底面から垂直に伸びて、支持リブ５よりも高く延長されている。係止爪６は、接点ホルダー４の背面に向かって突出する係止凸部６ａを先端に有する。係止凸部６ａは、接点ホルダー４の背面に設けている嵌着溝４ａに挿入されて、接点ホルダー４が支持リブ５から抜けるのを阻止する。係止爪６は、力を加えて変形させない形状で、支持リブ５に連結された接点ホルダー４の嵌着溝４ａに係止凸部６ａを挿入する形状とする。接点ホルダー４を支持リブ５の定位置に脱着するときは、係止爪６を弾性変形させて、係止凸部６ａを接点ホルダー４の嵌着溝４ａから引き抜く。
【００１７】
この構造の係止爪６は、接点ホルダー４が抜けるのを確実に阻止できる。ただ、本発明のパック電池は、係止爪６が接点ホルダー４の抜けを阻止する構造を以上の構造には特定しない。たとえば、図示しないが、以上の構造とは逆に、接点ホルダーの背面に凸部を設けて、この凸部を係止爪に設けた嵌着凹部に案内して、係止爪で接点ホルダーの抜けを防止することもできる。この係止爪も、力を加えて変形させない状態で、係止爪の嵌着凹部に接点ホルダーの凸部を入れる形状とする。
【００１８】
さらに、図５に示す係止爪６は、接点ホルダー４の横ずれを阻止して、接点ホルダー４を正確な位置に保持するために、係止凸部６ａに上下に延長してスリット８を設けている。このスリット８に案内される凸条９を、接点ホルダー４の背面に一体成形して設けている。この構造は、接点ホルダー４の凸条９を係止爪６のスリット８に案内して、接点ホルダー４の横ずれを阻止できる特長がある。
【００１９】
さらに、係止爪は、以上の構造とは逆に、係止爪の係止凸部に上下に延長して凸条を設け、接点ホルダーには凸条を案内する溝を設け、凸条を溝に案内して、接点ホルダーの横ずれを阻止することもできる。
【００２０】
第２ケース１Ｂは、上面を平面状として収納凸部２を突出して設けている。収納凸部２は、内部に接点ホルダー４を収納できる形状で、さらに、図６の断面図で示すように、収納凸部２の天板２Ａで接点ホルダー４を抜けないように保持している。図６において、接点ホルダー４の上面に収納凸部２の天板２Ａを配設して、接点ホルダー４が上方に抜けるのを阻止している。
【００２１】
接点ホルダー４は、プラスチック等の絶縁材を成形して製作される。図の接点ホルダー４は、全体を細長い直方体とするもので、第１ケース１Ａに設けている支持リブ５に連結される下面と、第２ケース１Ｂの天板２Ａに対向している上面と、接点３をケーシング１の表面に表出させる前面と、この前面の反対側に位置する背面とを有し、下面には支持リブ５の両面に挟着足７を突出させている。
【００２２】
接点ホルダー４の底面図を図７に示す。この図の接点ホルダー４は、両端部に各々一対の挟着足７を設けている。一対の挟着足７は支持リブ５を挟むように、すなわち、図７の鎖線で示している支持リブ５の両面、図において支持リブ５の上側と下面に配設され、その間に支持リブ５を案内している。支持リブ５の両面を挟着足７で挟んでいる接点ホルダー４は、図７の矢印で示す方向、すなわち、支持リブ５と直交する方向にずれるのが阻止される。図の接点ホルダー４は、挟着足７をプラスチック製の接点ホルダー４に一体成形して設けている。
【００２３】
さらに、図６と図７に示す接点ホルダー４は、接点ホルダー４に固定している接点３に連結している金属製の接点リード１０を一方の挟着足に併用している。図６の接点ホルダー４は、接点リード１０を支持リブ５の背面に突出させて挟着足に併用している。したがって、この接点ホルダー４は、支持リブ５の背面側には、接点ホルダー４に一体成形されたプラスチック製の挟着足７と、接点リード１０からなる挟着足の両方を設けている。接点リードを片方の挟着足に併用する接点ホルダーは、図示しないが、支持リブの片方にのみ接点ホルダーと一体成形している挟着足を設け、他の一方の挟着足を接点リードとすることもできる。
【００２４】
接点ホルダー４は、プラスチックで成形する工程で接点３をインサートして固定している。接点３をインサートして固定する構造は、接着材を使用しないで接着を接点ホルダー４に強固に固定できる。図の接点３は、金属板を円筒状に成形している筒型接点で、筒型接点の下面に接点リード１０を連結している。筒型接点は、収納凸部２の接点窓１２から押し込まれる電気機器の挿入ピンを挿入できるように接点ホルダー４に固定される。接点リード１０は、図６の断面図に示すように折曲されて、接点ホルダー４の下方に延長している。この接点リード１０はリード線１９が半田付等の方法で連結され、リード線１９はプリント基板１５に半田付等の方法で連結される。
【００２５】
リード線１９は、支持リブ５と第１ケース１Ａ外周縁との間に設けている配線スペース１１に配線される。ここに配設されるリード線１９は、配線スペース１１に設けている保持スリット１３に入れられ、保持スリット１３に挟着して保持される。
【００２６】
以上の構造のパック電池は、第１ケース１Ａの隔壁リブ１６の内側に二次電池１４とプリント基板１５をセットし、その後、支持リブ５に接点ホルダー４を装着する。接点ホルダー４はリード線１９を介してプリント基板１５に接続しており、リード線１９を配線スペース１１に配線する。この状態で、接点ホルダー４は第１ケース１Ａの支持リブ５の定位置に連結される。その後、第１ケース１Ａに第２ケース１Ｂを連結すると、接点ホルダー４は抜けないように第２ケース１Ｂの収納凸部２の内部に配設される。このパック電池は、第２ケース１Ｂの上面に電気機器を装着する。電気機器は、たとえばＤＶＤ等で、挿入ピンを接点ホルダー４の筒型接点に挿入してパック電池に連結する。
【００２７】
【発明の効果】
本発明のパック電池は、組み立てを簡単にして、しかも接点をケーシングの定位置に固定できる特長がある。それは、本発明のパック電池が、第１ケースと第２ケースからなるケーシングと、接点を固定している接点ホルダーとを備え、第１ケース及び第２ケースと、接点ホルダーを独特の構造として、接点をケーシングの外部に表出させているからである。この接点ホルダーは、下面を第１ケースに設けている支持リブに連結すると共に、下面には支持リブの両面に位置して挟着足を突出させている。さらに、接点ホルダーは、背面を第１ケースから突出する係止爪に連結すると共に、上面を第２ケースの収納凸部の天板で抜けないように保持して所定の位置に配設している。したがって、本発明のパック電池は、極めて簡単な構造として、接点ホルダーをケーシングの定位置に配設しながら、簡単に組み立てできる。さらに、本発明のパック電池は、接点ホルダーを第１ケースと第２ケースとでケーシングの定位置に保持するので、頻繁に電気機器を脱着して接点が電気機器のコネクター端子に押されても、接点の連結部が損傷するのを有効に防止できる特長もある。
【図面の簡単な説明】
【図１】本発明の実施例のパック電池の底面斜視図
【図２】図１に示すパック電池の第２ケースを外した状態を示す斜視図
【図３】図２に示す第１ケースの接点ホルダーを連結する要部の拡大斜視図
【図４】図３に示す第１ケースに接点ホルダーを連結した状態を示す分解斜視図
【図５】図３に示す第１ケースの接点ホルダーの連結部を示す平面図
【図６】図１に示すパック電池の接点ホルダーの連結部の断面図
【図７】接点ホルダーの底面図
【符号の説明】
１…ケーシング          １Ａ…第１ケース        １Ｂ…第２ケース
２…収納凸部            ２Ａ…天板
３…接点
４…接点ホルダー        ４ａ…嵌着溝
５…支持リブ            ５ａ…ストッパリブ
６…係止爪              ６ａ…係止凸部
７…挟着足
８…スリット
９…凸条
１０…接点リード
１１…配線スペース
１２…接点窓
１３…保持スリット
１４…二次電池
１５…プリント基板
１６…隔壁リブ
１７…周壁
１８…貫通孔
１９…リード線
【図１】
0003619758.tif 000002
【図２】
0003619758.tif 000003
【図３】
0003619758.tif 000004
【図４】
0003619758.tif 000005
【図５】
0003619758.tif 000006
【図６】
0003619758.tif 000007
【図７】
0003619758.tif 000008